(57)【要約】      （修正有）【課題】被検者の皮膚面に着接しても違和感の少ない発汗計用カプセルを提供する。【解決手段】本発明の発汗計用カプセル１は、被検者の皮膚面Ｆから発生する汗を検知するための発汗計Ｍに用いられる発汗計用カプセル１であって、発汗計用カプセル１が、皮膚面Ｆとの間で内部空間Ｓを形成するための凹部１１と、凹部１１の外縁の周囲に位置し、皮膚面Ｆに着接される着接部１２とを備え、発汗計用カプセル１の着接部１２からの高さが１０ｍｍ以下であることを特徴とする。【選択図】図１
2020146372.tif 000002
【特許請求の範囲】
【請求項１】
被検者の皮膚面から発生する汗を検知するための発汗計に用いられる発汗計用カプセルであって、
前記発汗計用カプセルが、前記皮膚面との間で内部空間を形成するための凹部と、前記凹部の外縁の周囲に位置し、前記皮膚面に着接される着接部とを備え、
前記発汗計用カプセルの前記着接部からの高さが１０ｍｍ以下である、
発汗計用カプセル。
【請求項２】
前記着接部の面積が２００ｍｍ2以上である、請求項１記載の発汗計用カプセル。
【発明の詳細な説明】
【技術分野】
【０００１】
本発明は、発汗計用カプセルに関する。
【背景技術】
【０００２】
従来、被検者の皮膚面から発生する汗を検知するために、たとえば特許文献１や特許文献２に開示される発汗計が用いられている。これらの発汗計は、被検者の皮膚面に着接される発汗計用カプセルと、皮膚面から発生する汗を検知するための発汗計本体と、発汗計本体と発汗計用カプセルとを連通するフレキシブルパイプとを備えている。発汗計は、発汗計用カプセルを被検者の皮膚面に着接し、被検者の皮膚面との間に形成される内部空間内の空気の湿度を発汗計本体により測定することにより、皮膚面から発生する汗を検知する。
【先行技術文献】
【特許文献】
【０００３】
【特許文献１】特開２００４−３４４１８６号公報
【特許文献２】特開２００６−２９６８１６号公報
【発明の概要】
【発明が解決しようとする課題】
【０００４】
発汗計は、たとえば被検者の精神発汗を調べるために掌の皮膚面から発生する汗を検知するなど、静止状態の被検者に適用されることが多い。そのために、従来市販されている発汗計用カプセルは、掌以外の腋窩、肘、膝などの屈曲部および屈曲部近傍に着接されることや、運動状態の被検者の皮膚面に着接されることが想定されていない。
【０００５】
たとえば、従来の発汗計用カプセルＣは、図５に示されるように、円柱状に形成されたカプセル本体Ｃ１と、カプセル本体Ｃ１から側方に延出するフレキシブルパイプ連結部Ｃ２とを備えている。カプセル本体Ｃ１の下面には、略中央に位置し、被検者の皮膚面との間で内部空間を形成する凹部Ｃ３と、凹部Ｃ３の外縁の周囲に位置し、皮膚面に着接される着接部Ｃ４とを備えている。カプセル本体Ｃ１は、直径が約１８ｍｍ、（接着部Ｃ４からの）高さｈが１２ｍｍの大きさに形成されている。また、凹部Ｃ３は、直径が約１１ｍｍ、高さが２．５ｍｍの略円柱状で、皮膚面に対する面積が約１００ｍｍ2の大きさに形成されている。そして、着接部Ｃ４の面積Ａは約１００ｍｍ2である。
【０００６】
しかし、この従来の発汗計用カプセルＣは、掌以外の腋窩、肘、膝などの屈曲部および屈曲部近傍に着接される場合や、運動状態の被検者の皮膚面に着接される場合には、容易に剥がれてしまい、皮膚面から発生する汗を正確に検知することができない。
【０００７】
本発明は、上記問題に鑑みなされたもので、被検者の皮膚面に着接しても剥がれ難く、皮膚面から発生する汗をより正確に検知することが可能な発汗計用カプセルを提供することを目的とする。
【課題を解決するための手段】
【０００８】
本発明者らは、鋭意検討した結果、発汗計用カプセルの高さを所定範囲内に設定することで、被検者の皮膚面に着接しても剥がれ難く、皮膚面から発生する汗をより正確に検知することができることを見出し、本発明の完成に至った。
【０００９】
すなわち、本発明は、被検者の皮膚面から発生する汗を検知するための発汗計に用いられる発汗計用カプセルであって、前記発汗計用カプセルが、前記皮膚面との間で内部空間を形成するための凹部と、前記凹部の外縁の周囲に位置し、前記皮膚面に着接される着接部とを備え、前記発汗計用カプセルの前記着接部からの高さが１０ｍｍ以下である、発汗計用カプセルに関する。
【００１０】
また、前記着接部の面積が２００ｍｍ2以上であることが好ましい。
【発明の効果】
【００１１】
本発明によれば、被検者の皮膚面に着接しても剥がれ難く、皮膚面から発生する汗をより正確に検知することが可能であり、着接中でも違和感を覚え難い発汗計用カプセルを提供することができる。
【図面の簡単な説明】
【００１２】
【図１】本発明の第１実施形態の発汗計用カプセルを備える発汗計を示す模式図である。
【図２】本発明の第１実施形態の発汗計用カプセルを示す図であり、（ａ）は斜視図であり、（ｂ）は側面図であり、（ｃ）は下面図である。
【図３】本発明の第２実施形態の発汗計用カプセルを示す図であり、（ａ）は斜視図であり、（ｂ）は側面図であり、（ｃ）は下面図である。
【図４】本発明の第３実施形態の発汗計用カプセルを示す図であり、（ａ）は斜視図であり、（ｂ）は側面図であり、（ｃ）は下面図である。
【図５】従来（比較例）の発汗計用カプセルを示す図であり、（ａ）は斜視図であり、（ｂ）は側面図であり、（ｃ）は下面図である。
【発明を実施するための形態】
【００１３】
以下、図面を参照して、本発明のいくつかの実施形態の発汗計用カプセルを説明する。ただし、以下に示す実施形態はあくまで例にすぎず、本発明の発汗計用カプセルは以下の実施形態に限定されることはない。
【００１４】
発汗計用カプセル１は、図１に示されるように、被検者の皮膚面Ｆから発生する汗を検知するための発汗計Ｍに用いられる。発汗計Ｍは、発汗計用カプセル１と皮膚面Ｆとの間に形成される内部空間Ｓ内の湿度を計測することで、皮膚面Ｆからの発汗の有無を検知し、および／または皮膚面Ｆからの発汗量を定量的に測定する。以下では、発汗計用カプセルが差分方式換気カプセル型の発汗計に用いられる例を挙げて、発汗計用カプセルを説明する。ただし、発汗計用カプセルは、差分方式換気カプセル型の発汗計に限定されることはなく、乾燥空気直接カプセル型や流量補償方式換気カプセル型の発汗計など、皮膚面との間に内部空間を形成して、その内部空間内の湿度を測定して汗を検知する方式の、公知の発汗計に用いることができる。なお、本明細書において、発汗計用カプセルについて方向を示す用語を使用する場合、特に断らない限り、発汗計用カプセルが皮膚面に着接されるときの皮膚面に対する方向を意味し、たとえば、発汗計用カプセルが皮膚面に着接されるときの皮膚面側を下側とし、発汗計用カプセルが皮膚面に着接されるときの皮膚面とは反対側を上側とする。
【００１５】
＜発汗計＞
発汗計Ｍは、図１に示されるように、被検者の皮膚面Ｆに着接される発汗計用カプセル１と、被検者の皮膚面Ｆから発生する汗を検知するための発汗計本体Ｍ１と、発汗計本体Ｍ１と発汗計用カプセル１とを連通するフレキシブルパイプＰ（給気側フレキシブルパイプＰ１および排気側フレキシブルパイプＰ２）とを備えている。
【００１６】
＜発汗計本体＞
発汗計本体Ｍ１は、図１に示されるように、気体吸入口から吸入される気体（空気など）を発汗計用カプセル１に送り出すためのポンプＭ１１と、発汗計用カプセル１に送り出す気体の絶対湿度を測定するための給気側湿度センサＭ１２と、発汗計用カプセル１から排出される気体の絶対湿度を測定するための排気側湿度センサＭ１３と、給気側湿度センサＭ１２および排気側湿度センサＭ１３で測定された絶対湿度に対応する信号の差分を出力するための作動増幅器Ｍ１４とを備えている。発汗計本体Ｍ１は、給気側フレキシブルパイプＰ１を介して発汗計用カプセル１に気体を送り出し、発汗計用カプセル１から排出される気体を、排気側フレキシブルパイプＰ２を介して受け入れる。発汗計本体Ｍ１は、送り出す気体の絶対湿度を給気側湿度センサＭ１２で測定し、受け入れる気体の絶対湿度を排気側湿度センサＭ１３で測定し、その絶対湿度の差から、皮膚面Ｆからの発汗の有無を検知し、および／または皮膚面Ｆからの発汗量を定量的に測定する。
【００１７】
＜フレキシブルパイプ＞
フレキシブルパイプＰは、図１に示されるように、給気側フレキシブルパイプＰ１および排気側フレキシブルパイプＰ２を備えている。給気側フレキシブルパイプＰ１および排気側フレキシブルパイプＰ２はそれぞれ、一方の端部が発汗計本体Ｍ１に接続され、他方の端部が発汗計用カプセル１に接続される。給気側フレキシブルパイプＰ１は、発汗計本体Ｍ１から発汗計カプセル１へと気体を導き、排気側フレキシブルパイプＰ２は、発汗計用カプセル１から発汗計本体Ｍ１へと気体を導く。給気側フレキシブルパイプＰ１および排気側フレキシブルパイプＰ２を含むフレキシブルパイプＰは、可撓性を有する材料により形成され、被検者の皮膚面Ｆの位置に応じて、発汗計本体Ｍ１と発汗計用カプセル１との間で自在に配索できるように構成されている。
【００１８】
＜発汗計用カプセル＞
発汗計用カプセル１は、被検者の皮膚面Ｆに着接されて、皮膚面Ｆとの間で囲繞される内部空間Ｓを形成する。また、発汗計用カプセル１は、発汗計本体Ｍ１から内部空間Ｓに気体が流入し、発汗計本体Ｍ１へ内部空間Ｓから気体が流出するように構成される。発汗計用カプセル１は、図１および図２に示されるように、皮膚面Ｆとの間で内部空間Ｓを形成するための凹部１１と、凹部１１の外縁の周囲に位置し、皮膚面Ｆに直接または間接的に着接される着接部１２とを備えている。
【００１９】
凹部１１は、凹部１１の外縁の周囲に位置する着接部１２よりも発汗計用カプセル１の内部側に凹んだ部位である。凹部１１は、着接部１２が皮膚面Ｆに着接されたときに、凹部１１の周壁と着接部１２の内側に位置する皮膚面Ｆとにより画定される内部空間Ｓを形成する。凹部１１は、皮膚面Ｆとともに内部空間Ｓを形成することができればよく、その形状や大きさは特に限定されることはない。
【００２０】
着接部１２は、皮膚面Ｆに着接されることで、着接部１２の内側において、凹部１１とともに内部空間Ｓを形成する皮膚面Ｆを画定し、凹部１１および皮膚面Ｆにより形成される内部空間Ｓを外部環境から密封する。着接部１２は、少なくとも被検者の皮膚面Ｆから発生する汗を検知する期間に亘って、内部空間Ｓ内の気体が皮膚面Ｆとの着接界面を介して漏出するのを抑制するように皮膚面Ｆに着接することができれば、その着接方法は特に限定されることはない。着接部１２は、たとえば図１に示されるように、公知の両面テープや粘着樹脂などの着接手段Ｔにより皮膚面Ｆに間接的に着接されてもよいし、発汗計用カプセル１の上側からテーピングなどにより押圧されることで、皮膚面Ｆに直接着接されてもよい。
【００２１】
発汗計用カプセル１はさらに、図１および図２に示されるように、内部空間Ｓに気体を供給するための給気側通気路１３ａおよび内部空間Ｓから気体を排出するための排気側通気路１３ｂと、給気側通気路１３ａおよび排気側通気路１３ｂのそれぞれと連通するように給気側フレキシブルパイプＰ１および排気側フレキシブルパイプＰ２を接続する接続部１４とを備えている。発汗計用カプセル１では、発汗計本体Ｍ１から給気側フレキシブルパイプＰ１および給気側通気路１３ａを介して内部空間Ｓに気体が送り込まれ、内部空間Ｓの気体が排気側通気路１３ｂおよび排気側フレキシブルパイプＰ２を介して発汗計本体Ｍ１に排出される。
【００２２】
＜発汗計用カプセルの材質＞
発汗計用カプセル１は、皮膚面Ｆとの間に形成される内部空間Ｓの形状を維持できる強度を有するとともに、皮膚面Ｆから発生する汗の検知に必要な、気体の漏出を抑制する気体非透過性、および水分（汗）の吸着を抑制する非吸水性を有していれば、その材質は特に限定されることはない。発汗計用カプセル１は、たとえば、公知の合成樹脂や金属により形成することができる。
【００２３】
合成樹脂としては、特に限定されることはなく、たとえば、高密度ポリエチレン、ポリプロピレン、ポリ塩化ビニル、アクリロニトリル−ブタジエン−スチレン共重合体などの硬質樹脂や、低密度ポリエチレン、ポリウレタン、熱可塑性エラストマー、シリコーンゴム、フッ素ゴムなどの軟質樹脂を用いることができる。合成樹脂としては、発汗計用カプセル１が外的負荷を受けるような場合でも内部空間Ｓの形状を維持するという観点から、硬質樹脂を用いることが好ましい。
【００２４】
金属としては、特に限定されることはなく、アルミニウム、チタン、ステンレスなどを用いることができる。
【００２５】
発汗計用カプセル１は、全体が同じ材料により形成されていてもよく、部分的に異なる材料により形成されていてもよい。発汗計用カプセル１は、たとえば、内部空間Ｓを形成する凹部１１の周壁のみを硬質材料により形成し、着接部１２など他の部位を軟質材料により形成してもよい。発汗計Ｍは、発汗計用カプセル１の凹部１１の周壁を硬質材料とすることで、たとえば発汗計用カプセル１が外的負荷を受けても内部空間Ｓの形状が維持されるので、汗の検知をより正確に行なうことができる。発汗計用カプセル１は、着接部１２など他の部位を軟質材料とすることで、着接部１２などが皮膚面Ｆの形状変化に伴って柔軟に変形することができるので、皮膚面Ｆに対する密着性が向上して皮膚面Ｆから剥がれ難くなる。それによって、発汗計Ｍは、内部空間Ｓから気体が漏出するのが抑制され、汗の検知をより正確に行なうことができる。
【００２６】
＜発汗計用カプセルの大きさ＞
発汗計用カプセル１は、被検者の皮膚面Ｆに着接されて、皮膚面Ｆとの間で内部空間Ｓを形成することができ、その内部空間Ｓに気体が流入し、内部空間Ｓから気体が流出できるように構成されていれば、その大きさは特に限定されることはない。しかしながら、本発明者らは、鋭意検討した結果、発汗計用カプセル１は、着接部１２からの高さｈを１０ｍｍ以下とすることにより、被検者の皮膚面Ｆに着接しても剥がれ難く、皮膚面から発生する汗をより正確に検知することができることを見出した。発汗計用カプセル１は、着接部１２からの高さｈが１０ｍｍ以下であることにより、たとえば腋窩、肘、膝などの屈曲部および屈曲部近傍などに着接されたとしても、皮膚面Ｆから剥がれ難く、また、運動状態の被検者の皮膚面Ｆに着接されたとしても、皮膚面Ｆから剥がれ難い。さらに、着接部１２からの高さｈが１０ｍｍ以下であることにより、足の裏、着座時の臀部や大腿部、バックパック背負い時の背中など、人体以外のものが圧接している部位または皮膚同士が密着している部位の皮膚面Ｆに着接されたとしても、痛みを感じ難く、皮膚面Ｆから剥がれ難い。それによって、発汗計Ｍは、皮膚面Ｆから発生する汗をより正確に検知することができる。それに加えて、発汗計用カプセル１は、着接部１２からの高さｈが１０ｍｍ以下であることにより、皮膚面Ｆに着接している間に被検者が感じる違和感を軽減することができる。それによって、たとえば発汗計測が長時間に亘るものであったとしても、着接部１２からの高さｈが１０ｍｍ以下である発汗計用カプセル１を用いることで、被検者に与えるストレスを軽減することができる。発汗計用カプセル１は、被検者の皮膚面Ｆに着接しても剥がれ難く、皮膚面Ｆから発生する汗をより正確に検知するという観点から、着接部１２からの高さｈが１０ｍｍ以下であることが好ましく、着接部１２からの高さｈが８ｍｍ以下であることがより好ましい。また、発汗計用カプセル１は、凹部１１の高さを確保して内部空間Ｓを確保するとともに、接続部１４を設けるためのスペースを確保するという観点から、着接部１２からの高さｈが５ｍｍ以上であることが好ましく、６ｍｍ以上であることがより好ましい。
【００２７】
また、本発明者らは、さらに鋭意検討した結果、発汗計用カプセル１は、着接部１２の面積Ａを２００ｍｍ2以上にすることで、皮膚面Ｆから剥がれるのがさらに抑制され、皮膚面Ｆからの発汗をさらにより正確に検知することができることを見出した。したがって、発汗計用カプセル１は、皮膚面Ｆからの剥がれをさらに抑制するという観点から、着接部１２の面積Ａが、２００ｍｍ2以上であることが好ましく、２５０ｍｍ2以上であることがより好ましく、３００ｍｍ2以上であることがさらにより好ましい。また、発汗計用カプセル１は、着接対象部位の選択性を向上させ、さまざまな部位に着接可能にするとともに、着接時の違和感をより軽減するという観点から、１５００ｍｍ2以下であることが好ましく、１２００ｍｍ2以下であることがより好ましい。
【００２８】
＜発汗計用カプセルの形状＞
発汗計用カプセルは、被検者の皮膚面Ｆに着接されて、皮膚面Ｆとの間で内部空間Ｓを形成することができ、その内部空間Ｓに気体が流入し、内部空間Ｓから気体が流出するように構成されていれば、その形状は特に限定されることはない。以下、図２〜図４を参照して、形状の異なる、好適な第１〜３実施形態の発汗計用カプセル１、２、３を説明する。なお、図２〜図４では、同一の機能を有する要素には同一の符号を付している。
【００２９】
＜第１実施形態＞
第１実施形態の発汗計用カプセル１は、図２に示されるように、凹部１１および着接部１２が設けられるカプセル本体１５と、カプセル本体１５に接続され、カプセル本体１５にフレキシブルパイプＰを連結する連結部１６とを備えている。
【００３０】
カプセル本体１５は、上面視が略円形で、上下方向に厚さを有する略円柱状を有している。皮膚面Ｆに着接するカプセル本体１５の下面には、略中央に略円柱状の凹部１１が穿設され、凹部１１の外縁の周囲に略円環状で略平坦な着接部１２が形成されている。カプセル本体１５の内部には、凹部１１と接続部１４とを連通する通気路１３（給気側通気路１３ａおよび排気側通気路１３ｂ）が設けられている。
【００３１】
連結部１６は、連結部１６の上端がカプセル本体１５の上面と略同一の高さとなるように、カプセル本体１５の側面から側方に、カプセル本体１５の上面と略平行に延びる略円柱状を有している。連結部１６の、カプセル本体１５とは反対側の端部には、フレキシブルパイプＰを接続するための接続部１４が設けられている。発汗計用カプセル１は、カプセル本体１５の上端と連結部１６の上面とが略同一の高さに形成されることで、カプセル本体１５と連結部１６との間に段差がほとんどなくなるので、皮膚面Ｆ以外の被検者の他の部位が段差に接触することによって力を受けて皮膚面Ｆから剥がれるのが抑制される。それによって、発汗計Ｍによって、皮膚面Ｆから発生する汗をより正確に検知することができる。さらに、発汗計用カプセル１は、カプセル本体１５の上端と連結部１６の上面とが略同一の高さに形成されることで、被検者が表面近傍に触れたとしても、段差を感じることが抑制されるので、被検者が感じる違和感を軽減することができる。
【００３２】
発汗計用カプセル１は、被検者の皮膚面Ｆに着接しても剥がれ難く、皮膚面Ｆから発生する汗をより正確に検知するという観点から、着接部１２からの高さｈ（カプセル本体２１の高さ）が１０ｍｍ以下であることが好ましく、着接部１２からの高さｈが８ｍｍ以下であることがより好ましい。また、発汗計用カプセル１は、凹部１１の高さを確保して内部空間Ｓを確保するとともに、接続部１４を設けるためのスペースを確保するという観点から、着接部１２からの高さｈが５ｍｍ以上であることが好ましく、６ｍｍ以上であることがより好ましい。
【００３３】
発汗計用カプセル１は、皮膚面Ｆからの剥がれをさらに抑制するという観点から、着接部１２の面積Ａが、２００ｍｍ2以上であることが好ましく、２５０ｍｍ2以上であることがより好ましく、３００ｍｍ2以上であることがさらにより好ましい。また、発汗計用カプセル１は、着接対象部位の選択性を向上させ、さまざまな部位に着接可能にするとともに、着接時の違和感をより軽減するという観点から、１５００ｍｍ2以下であることが好ましく、１２００ｍｍ2以下であることがより好ましい。
【００３４】
第１実施形態の発汗計用カプセル１は、カプセル本体１５および連結部１６が一体として形成されているが、特に限定されることはなく、たとえば、それぞれ別体として形成された後に互いに連結されてもよい。また、カプセル本体１５および連結部１６の形状もまた、上述した例に限定されることはない。たとえば、カプセル本体１５は、上面視が略矩形状や略楕円形状などの他の形状であってもよい。また、連結部１６は、略直方体形状や略台形柱状などの他の形状であってもよい。
【００３５】
＜第２実施形態＞
第２実施形態の発汗計用カプセル２は、図３に示されるように、凹部１１および着接部１２が設けられるカプセル本体２１と、カプセル本体２１に接続され、カプセル本体２１にフレキシブルパイプＰを連結する連結部２２とを備えている。
【００３６】
カプセル本体２１は、被検者の皮膚面Ｆに着接部１２が着接されることで、凹部１１および皮膚面Ｆにより内部空間Ｓを形成する。カプセル本体２１は、略平板状の平板部２１１および平板部２１１の上面から上方に立設する立設部２１２を備えている。
【００３７】
平板部２１１は、上面視が角部の丸められた略正方形状を有し、上下方向に厚さを有する略平板状に形成されている。皮膚面Ｆに着接する平板部２１１の下面において、略中央に略円柱状の凹部１１が穿設され、凹部１１の外縁の周囲に略円環状で略平坦なカプセル本体側着接部１２ａが形成されている。
【００３８】
立設部２１２は、平板部２１１の上面の一部を占める大きさで、角部の丸められた略直方体形状を有している。立設部２１２は、平板部２１１の略正方形の第１の辺２１１ａよりも内側から、略正方形の第１の辺２１１ａに対向する第２の辺２１１ｂまで、略正方形の第１および第２の辺２１１ａ、２１１ｂに直交する第３および第４の辺２１１ｃ、２１１ｄと略平行に延び、第３および第４の辺２１１ｃ、２１１ｄよりも内側に形成されている。発汗計用カプセル２は、立設部２１２が平板部２１１の外縁（第１、第３および第４の辺２１１ａ、２１１ｃ、２１１ｄ）よりも内側に設けられることで、立設部２１２が平板部２１１の外縁まで設けられる場合と比べて、皮膚面Ｆ以外の被検者の身体の他の部位などが立設部２１２に触れたとしても、発汗計用カプセル２に加えられる回転モーメントが小さいために、皮膚面Ｆから剥がれ難くなる。それによって、発汗計Ｍによって、皮膚面Ｆから発生する汗をより正確に検知することができる。また、発汗計用カプセル２は、立設部２１２が平板部２１１の上面の一部に設けられることで、平板部２１１の上面の全部に設けられる場合と比べて、全体的な体積を小さくできるので、皮膚面Ｆに着接したときの違和感を軽減することができる。平板部２１１および立設部２１２の内部には、立設部２１２の延びる方向に沿って延び、凹部１１と接続部１４とを連通する通気路１３（給気側通気路１３ａおよび排気側通気路１３ｂ）が設けられている。
【００３９】
連結部２２は、フレキシブルパイプＰが接続される接続部１４が設けられ、接続部１４にフレキシブルパイプＰを接続することで、フレキシブルパイプＰをカプセル本体１５に連結する。連結部２２は、カプセル本体２１の立設部２１２の延びる方向に沿って、カプセル本体１５の平板部２１１および立設部２１２の側面から側方に延び、角部の丸められた略直方体形状を有している。連結部２２は、連結部２２の上面がカプセル本体２１の立設部２１２の上面と略面一となるように設けられている。連結部２２の、カプセル本体２１（平板部２１１および立設部２１２）とは反対側の端部には、フレキシブルパイプＰを接続するための接続部１４が設けられている。連結部２２の下面には、カプセル本体側着接部１２ａと略面一でカプセル本体側着接部１２ａから側方に連続して延出するように略平坦な連結部側着接部１２ｂが形成されている。カプセル本体側着接部１２ａおよび連結部側着接部１２ｂは、互いに連接されて、着接部１２を構成する。発汗計用カプセル２は、フレキシブルパイプＰが接続される接続部１４が設けられる連結部２２の下面に皮膚面Ｆと着接する連結部側着接部１２ｂが設けられることで、連結部２２側における着接力が強化されている。発汗計用カプセル２は、発汗計Ｍが被検者の運動時の発汗を検知するような場合には、被検者の運動に伴って発汗計用カプセル２を軸としてフレキシブルパイプＰが揺動するが、連結部２２の着接力が強化されているので、皮膚面Ｆから剥がれるのを抑制することができる。それによって、発汗計Ｍによって、皮膚面Ｆから発生する汗をより正確に検知することができる。また、発汗計用カプセル２は、カプセル本体２１（立設部２１２）の上面と連結部２２の上面とが略面一であるので、被検者が表面近傍に触れたとしても、段差を感じることが抑制されるので、被検者が感じる違和感を軽減することができる。
【００４０】
発汗計用カプセル２は、上述したように、被検者の皮膚面Ｆに着接しても剥がれ難く、皮膚面Ｆから発生する汗をより正確に検知するという観点から、着接部１２からの高さｈ（平板部２１１および立設部２１２の合計高さ）が１０ｍｍ以下であることが好ましく、着接部１２からの高さｈが８ｍｍ以下であることがより好ましい。また、発汗計用カプセル２は、凹部１１の高さを確保して内部空間Ｓを確保するとともに、接続部１４を設けるためのスペースを確保するという観点から、着接部１２からの高さｈが５ｍｍ以上であることが好ましく、６ｍｍ以上であることがより好ましい。
【００４１】
発汗計用カプセル２は、上述したように、皮膚面Ｆからの剥がれをさらに抑制するという観点から、着接部１２の面積Ａ（カプセル本体側着接部１２ａおよび連結部側着接部１２ｂの合計面積）が、２００ｍｍ2以上であることが好ましく、２５０ｍｍ2以上であることがより好ましく、３００ｍｍ2以上であることがさらにより好ましい。また、発汗計用カプセル２は、着接対象部位の選択性を向上させ、さまざまな部位に着接可能にするとともに、着接時の違和感をより軽減するという観点から、１５００ｍｍ2以下であることが好ましく、１２００ｍｍ2以下であることがより好ましい。
【００４２】
第２実施形態の発汗計用カプセル２は、カプセル本体２１および連結部２２が一体として形成されているが、特に限定されることはなく、たとえば、それぞれ別体として形成された後に互いに連結されてもよい。また、カプセル本体２１および連結部２２の形状もまた、上述した例に限定されることはない。たとえば、カプセル本体２１の平板部２１１は、上面視が略円形状や略長方形状などの他の形状であってもよい。また、カプセル本体２１の立設部２１２は、略半円筒状や略台形柱状などの他の形状であってもよいし、平板部２１１の上面の全体を占める大きさであってもよい。また、連結部２２は、略円柱状や略台形柱状などの他の形状であってもよい。
【００４３】
＜第３実施形態＞
第３実施形態の発汗計用カプセル３は、図４に示されるように、凹部１１および着接部１２が設けられるカプセル本体３１と、カプセル本体３１に接続され、カプセル本体３１にフレキシブルパイプＰを連結する連結部３２とを備えている。
【００４４】
カプセル本体３１は、上面視が略楕円形で、上下方向に厚さを有する略楕円板形状を有している。皮膚面Ｆに着接するカプセル本体３１の下面には、略中央に略円柱状の凹部１１が穿設され、凹部１１の外縁の周囲に略楕円環状の着接部１２が形成されている。
【００４５】
連結部３２は、カプセル本体３１の上面の一部を占める大きさで、角部の丸められた略直方体形状を有している。連結部３２は、カプセル本体３１の略楕円の短径方向に沿って、一方の端部よりも内側から他方の端部まで延び、カプセル本体３１の略楕円の長径方向の両端から内側に形成されている。発汗計用カプセル３は、カプセル本体３１の上面に連結部３２が設けられることで、カプセル本体３１から側方に延出して設けられるような場合と比べて、フレキシブルパイプＰが揺動したときに発汗計用カプセル３に加えられる回転モーメントが小さいために、皮膚面Ｆから剥がれ難くなる。さらに、発汗計用カプセル３は、連結部３２がカプセル本体３１の外縁（短径方向の一方の端部および長径方向の両端）よりも内側に設けられることで、連結部３２がカプセル本体３１の外縁まで設けられる場合と比べて、皮膚面Ｆ以外の被検者の身体の他の部位などが連結部３２に触れたとしても、発汗計用カプセル３に加えられる回転モーメントが小さいために、皮膚面Ｆから剥がれ難くなる。それによって、発汗計Ｍによって、皮膚面Ｆから発生する汗をより正確に検知することができる。また、発汗計用カプセル３は、連結部３２がカプセル本体３１の上面の一部に設けられることで、カプセル本体３１の上面の全部に設けられる場合と比べて、全体的な体積を小さくできるので、皮膚面Ｆに着接したときの違和感を軽減することができる。連結部３２の延びる方向における連結部３２およびカプセル本体３１の側面は、互いに略面一に形成され、フレキシブルパイプＰを接続するための接続部１４が設けられている。また、カプセル本体３１および連結部３２の内部には、連結部３２の延びる方向に沿って延び、凹部１１と接続部１４とを連通する通気路１３（給気側通気路１３ａおよび排気側通気路１３ｂ）が設けられている。
【００４６】
第３実施形態の発汗計用カプセル３は、カプセル本体３１および連結部３２が一体として形成されているが、特に限定されることはなく、たとえば、それぞれ別体として形成された後に互いに連結されてもよい。また、カプセル本体３１および連結部３２の形状もまた、上述した例に限定されることはない。たとえば、カプセル本体３１は、上面視が略矩形状や略円形状などの他の形状であってもよい。また、連結部３２は、略半円筒状や略台形柱状などの他の形状であってもよく、カプセル本体３１の上面の全体を占める大きさであってもよい。
【００４７】
発汗計用カプセル３は、被検者の皮膚面Ｆに着接しても剥がれ難く、皮膚面Ｆから発生する汗をより正確に検知するという観点から、着接部１２からの高さｈ（カプセル本体３１および連結部３２の合計高さ）が１０ｍｍ以下であることが好ましく、着接部１２からの高さｈが８ｍｍ以下であることがより好ましい。また、発汗計用カプセル３は、凹部１１の高さを確保して内部空間Ｓを確保するとともに、接続部１４を設けるためのスペースを確保するという観点から、着接部１２からの高さｈが５ｍｍ以上であることが好ましく、６ｍｍ以上であることがより好ましい。
【００４８】
発汗計用カプセル３は、上述したように、皮膚面Ｆからの剥がれをさらに抑制するという観点から、着接部１２の面積Ａが、２００ｍｍ2以上であることが好ましく、２５０ｍｍ2以上であることがより好ましく、３００ｍｍ2以上であることがさらにより好ましい。また、発汗計用カプセル３は、着接対象部位の選択性を向上させ、さまざまな部位に着接可能にするとともに、着接時の違和感をより軽減するという観点から、１５００ｍｍ2以下であることが好ましく、１２００ｍｍ2以下であることがより好ましい。
【実施例】
【００４９】
以下、本発明を実施例に基づいてさらに詳細に説明するが、本発明はこれら実施例のみに限定されるものではない。
【００５０】
＜発汗計用カプセル＞
図２〜図４に示される発汗計用カプセル１、２、３の形状で、それぞれ実施例１〜３の発汗計用カプセルを作製した。また、図５に示される発汗計用カプセルＣの形状で、比較例１の発汗計用カプセルを作製した。実施例１〜３および比較例１の発汗計用カプセルの大きさは以下の通りとした。
【００５１】
実施例１
着接部からの高さｈ：８ｍｍ
着接部の面積Ａ：１００．９６ｍｍ2
【００５２】
実施例２
着接部からの高さｈ：７ｍｍ
着接部の面積Ａ：５１９．４３ｍｍ2
【００５３】
実施例３
着接部からの高さｈ：８ｍｍ
着接部の面積Ａ：８８１．７５ｍｍ2
【００５４】
比較例１
着接部からの高さｈ：１２ｍｍ
着接部の面積Ａ：１００．９６ｍｍ2
【００５５】
＜評価方法＞
実施例１〜３および比較例１の発汗計用カプセルを、表１に示す被検者の各部位に両面テープを用いて着接し、被検者による違和感のなさ、および発汗計用カプセルの剥がれ難さを評価した。大腿部以外の部位における評価は、被検者が、発汗計用カプセルを各部位に着接したまま、温度２８℃、相対湿度６０％の室内において、ウォーキングマシンを用いて時速４ｋｍの負荷で２０分間の歩行運動を行うことにより実施した。また、大腿部における評価は、被検者が、発汗計用カプセルを大腿部に着接したまま、温度２８℃、相対湿度６０％の室内において、座る、立つ、の繰り返し運動を２０回行うことにより実施した。
【００５６】
「違和感のなさ」については、被検者が、まず、比較例１の発汗計用カプセルの違和感を評価し、その後、実施例１〜３の発汗計用カプセルについて、比較例１の発汗計用カプセルよりも違和感がないと感じるか否かにより評価した。「違和感のなさ」は、比較例１より違和感がないと感じると回答した被検者の人数により下記の評価基準で評価した。なお、大腿部については、痛みも含んで違和感を評価した。
【００５７】
「剥がれ難さ」については、上記運動後に実施例１〜３および比較例１の発汗計用カプセルが皮膚から剥がれなかったか否かにより評価した。発汗計用カプセルが皮膚から剥がれなかったか否かは、発汗計用カプセルと皮膚面との間の隙間の有無により評価し、隙間が生じなかった場合に剥がれなかったと評価し、隙間が生じた場合に剥がれたと評価した。「剥がれ難さ」は、発汗計用カプセルが剥がれなかった被検者の人数および発汗計用カプセルが剥がれた被検者の人数により下記の評価基準で評価した。
【００５８】
「違和感のなさ」および「剥がれ難さ」の評価は、それぞれ、２０人の評価員（被検者）により行った。
【００５９】
＜評価基準＞
「違和感のなさ」
Ａ：１５人以上が比較例１より違和感がないと感じたと回答
Ｂ：１０〜１４人が比較例１より違和感がないと感じたと回答
Ｃ：９人以下が比較例１より違和感がないと感じたと回答
【００６０】
「剥がれ難さ」
Ａ：１５人以上で剥がれなかった
Ｂ：１０〜１４人で剥がれなかった
Ｃ：１１〜１４人で剥がれた
Ｄ：１５〜２０人で剥がれた
【００６１】
＜評価結果＞
実施例１〜３および比較例１の発汗計用カプセルの評価結果を表１に示す。表１を参照すると、着接部からの高さが１０ｍｍ以下である実施例１〜３の発汗計用カプセルでは、着接部からの高さが１０ｍｍよりも大きい比較例１の発汗計用カプセルと比べて、「違和感のなさ」および「剥がれ難さ」ともに、いずれの部位でも高い評価結果が得られている。また、着接部の面積が２００ｍｍ2以上である実施例２および３の発汗計用カプセルでは、着接部の面積が２００ｍｍ2より小さい実施例１の発汗計用カプセルと比べて、胸、背中、腋における「剥がれ難さ」の評価がさらに高くなっている。以上の結果から、発汗計用カプセルは、着接部からの高さを１０ｍｍ以下にすることにより、被検者の皮膚面に着接しても剥がれ難く、着接中でも被検者が違和感を覚え難くなることが分かる。さらに、発汗計用カプセルは、着接部の面積を２００ｍｍ2以上にすることにより、被検者の皮膚面からさらに剥がれ難くなることが分かる。
【００６２】
【表１】
2020146372.tif 000003
【符号の説明】
【００６３】
１  発汗計用カプセル
１１  凹部
１２  着接部
１２ａ  カプセル本体側着接部
１２ｂ  連結部側着接部
１３  通気路
１３ａ  給気側通気路
１３ｂ  排気側通気路
１４  接続部
１５  カプセル本体
１６  連結部
２  発汗計用カプセル
２１  カプセル本体
２１１  平板部
２１１ａ  第１の辺
２１１ｂ  第２の辺
２１１ｃ  第３の辺
２１１ｄ  第４の辺
２１２  立設部
２２  連結部
３  発汗計用カプセル
３１  カプセル本体
３２  連結部
Ａ  着接部の面積
Ｆ  被検者の皮膚面
ｈ  発汗計用カプセルの着接部からの高さ
Ｍ  発汗計
Ｍ１  発汗計本体
Ｍ１１  ポンプ
Ｍ１２  給気側湿度センサ
Ｍ１３  排気側湿度センサ
Ｍ１４  作動増幅器
Ｐ  フレキシブルパイプ
Ｐ１  給気側フレキシブルパイプ
Ｐ２  排気側フレキシブルパイプ
Ｓ  内部空間
Ｔ  着接手段
【図１】
2020146372.tif 000004
【図２】
2020146372.tif 000005
【図３】
2020146372.tif 000006
【図４】
2020146372.tif 000007
【図５】
2020146372.tif 000008